(57)【要約】      （修正有）【課題】複雑で、操作手順の異なる多機能の電子装置の操作手順を統一的な操作手段にすることによって劇的に簡単化するものである。【解決手段】各機能を起動・実行する操作手順と必要なデータを格納したカードを目的機能毎のカードとして用意し、電子装置にはカードリーダとカード情報を元に電子機器とやり取りをして機能を起動実行させるインタフェース回路を備え、使用者は機能毎の複雑な操作手順を実行することなく、機能の相違を意識することなく統一された定型的な操作、目的機能毎にカードを選択し、カードスロットに挿入するだけで目的機能を起動できるようにした電子装置の操作方式である。高齢者向けの機器操作手段として最適である。【選択図】図１
2005242955.tif 000002
【特許請求の範囲】
【請求項１】
多種の機能を一体化した多機能電子システムにあって、それぞれ単位機能毎に機能を起動し実行するデータと操作の情報を格納したカードを用意すると共に、多機能電子システムにはカードリーダとカード情報を入力して所望の機能を起動するインタフェース回路を装備し、それぞれ該当するカードを選択してカードリーダに読み込ませることによって、該当する機能を実行することを特徴とする多機能電子システム操作方式。
【請求項２】
テレビジョン、テレビ電話、電話、ＦＡＸ、インターネットなどの各種家庭情報機器の少なくも複数の機能を集合した多機能家庭情報システムにあって、それぞれ機能毎に機能を起動し実行するデータと操作の情報を格納したカードを用意すると共に、該多機能家庭情報システムにはカードリーダとカード情報を入力して所望の機能を起動するインタフェース回路を装備し、それぞれ該当するカードを選択してカードリーダに読み込ませることによって、該当する機能を起動し実行することを特徴とする多機能家庭情報システム操作方式。
【請求項３】
〔請求項１、２〕の多機能電子システムもしくは多機能家庭情報システムにあって、カード情報読み取り装置とインタフェース回路に加えて本体機器との通信手段を備えたリモートコントローラで制御することを特徴とする操作方式。
【請求項４】
〔請求項１、２、３、〕にあって、機能を実行するデータや操作の情報に加えて、システムが実行中の機能を待機状態に移行させる操作をカードに格納し、実行中の機能を待機状態に移行させて目的の機能を起動することを特徴とする操作方式。
【発明の詳細な説明】
【技術分野】
【０００１】  この発明は、複雑な操作手順を必要とする多機能の電子システムにあって、操作手順を劇的に簡単化する手段に関する。
【特許文献１】特開平５−４１７３３号公報
【特許文献１】特開２００２−１４２２０１号公報
【特許文献２】特開２００２−９８３１号公報
【特許文献３】  特開２００３−３７８２５号公報
【背景技術】
【０００２】  近年の電子装置はソフトウエアが組み込まれて高機能・多機能化が進み、その操作方法も複雑になって来ている。キーボードやリモートコントロールなど多数のボタン列の操作を必要とし、機能毎に操作手法が異なってマニュアルも多種類で複雑になるなど、機器に不慣れな利用者には大きな負担である。
操作を単純化する手段として、複雑な操作をシーケンス回路などで纏めて一個のボタン操作などで一挙に実行させる方法が旧知である。また電話番号を記憶したカードを用意し、カードリーダで読み込ませることによって送話相手と簡単に接続する手段も知られている。
【発明の開示】
【発明が解決しようとする課題】
【０００３】  しかしながら、機器の多機能化が進む中にあって、機能毎に異なる操作手法を統一して簡単化する考え方、手段は今まで無かった。特に高齢者社会におけるライフライン端末として、音声や画像、文書などを外部社会とやり取りする多機能の情報伝達機器が望まれるが、これらは機能毎に操作手順が異なり、且つ複雑で機器を展開する上で大きな障害である。
本発明は、機能毎の操作手段の違いを吸収して統一した一定の簡単な手段で操作できるようにし、機器知識を持たない利用者でも容易に使いこなせる操作方式を提供する。特に、高齢者社会におけるライフライン端末として、音声や画像、文書などを外部社会とやり取りする多機能家庭情報機器の操作手順の簡単化を課題とする。
【課題を解決するための手段】
【０００４】  以上の課題を解決するために、第一発明は、目的とする機能毎に機能を起動・実行するデータと操作手順を格納したカードを用意する一方、電子機器にはカードリーダとカード情報に従って電子機器と連携して機能を起動するインタフェース回路を備える。機能毎の操作手順の違いや途中の条件設定にかかわらず、一元的な手段としてカードリーダから読み取った情報に従ってインタフェース回路を起動し、電子機器を目的の機能で起動するようにしたものである。【０００５】また第二の発明は、特に高齢社会のライフラインの端末として不可欠の家庭情報システムに適した操作手段である。一般情報の入力手段としてテレビジョン、重要な連絡先や役所・病院などの緊急連絡先と連絡を取る手段として電話やテレビ電話、また記録として残せるＦＡＸなどが必須であろう。インターネットも必要とされるだろう。これらの少なくも複数の機能を統合して、ここでは家庭情報システムと呼ぶ。
これらの機器の操作情報を夫々機能毎に格納したカードとして用意し、カードリーダを介して家庭情報システムに読み込ますことによって、機能の違いや操作手順の違いに関わらず統一した手段としてそれぞれの機能を起動し実行する。【０００６】これらのシステムがリモートコントローラで操作される場合には、リモートコントローラにカードリーダとインタフェース回路を取りつけるか、別の第２のリモートコントローラとして準備し、離れたところからも操作できるようにする方法も有効である。多様なボタンを持つリモートコントローラと分離して、第２のコントローラとすることによって、簡単な操作の機器としての特徴がより明確にできる。
【発明の効果】
【０００７】  利用者は目的とする機能のカードを選択し、機器に差し込むだけである。操作手順の違いや、途中の条件設定の知識が全く無くても操作が出来る。機能の違いにかかわらず一元的な手段で操作可能である。この操作の単純化が本発明の最大の効果である。
また、本発明は操作手段を本体から分離したカードに格納するので、機能の増設や変更が容易に行えるばかりでなく、利用者の能力に合わせたカスタマイズが可能である。機能をフルに使う利用者、必要機能に限定して使う利用者など、それぞれに適したカスタマイズを容易且つ安価に実現することが可能である。例えば高齢者向けとして、必要不可欠の機能に限定してカードを用意すれば、混乱を最小に抑えることも容易である。
【発明を実施するための最良の形態】
【０００８】  本発明の典型的な実施形態が高齢者向けの家庭情報システムである。これを図１、図２、及び表１を使って説明する。図１に示すように、一般情報の入力手段としてテレビジョン、重要な連絡先や役所・病院などの緊急連絡先と連絡を取る手段として電話やテレビ電話、また記録として残せるＦＡＸなどが必須であろう。またインターネットも望まれる。これらの家庭用情報機器の少なくも複数の機能を統合して、ここでは家庭情報システムと呼ぶ。
まず、これらの機能を起動実行するための操作情報を夫々機能毎に磁気カードに格納して用意する。カードリーダを介して読み込まれたカード情報はインタフェース回路を介して各家庭情報機器に伝えられて所望の機能を起動し実行する。【０００９】第１表に一例を示すが、カードに格納する操作情報は対象とする利用者によって最適の変形が可能である。例えば、電話操作のカードでは、電話をかける操作を知っている利用者には電話機能の判別のカードで良く、電話番号を入力するのも不安な利用者には電話番号付のカードを与える。更に緊急の援助を求める電話メッセージを加えたカードを用意しておいたほうが良い利用者にはメッセージ付のカードを与える。
ＦＡＸ用カードも同様である。
テレビ電話では映像送信の有無を分けてカードを準備しておくのが便利である。受信時も映像を送りたくないときのカードを準備するのがよい。
その他の機能についても、利用者の操作能力、利用する機能のレベルによって使うカードのセットを選択することが出来るし、変更も容易である。【００１０】図２は操作手順の例である。電話機の例で説明すると、待機状態からカードが挿入されると、その情報を受けてインタフェース回路が起動しカード情報を読み取りカード情報が正常で受話器がピックアップされていることを確認すると電話番号を電話機へ渡して、電話は接続動作を実行する。接続が成立すると、受信音を受けて相手との会話がスタートし、会話が終了して受話器戻し、ついでカード取り外すと接続を終了し待機状態に戻る。接続手順の途中で異常があると、受話器もしくは画面上にメッセージが返され、ＮＧ１メッセージではカード異常を、ＮＧ２メッセージ或はＮＧ３メッセージでは相手が話し中、不在で未接続である事を示し、カードを抜くように指示されて、待機状態に戻る。
ＦＡＸ機能を使う場合は、最初にＦＡＸ原稿をセットして受話器をピックアップし、ＦＡＸ用カードを挿入する。通信状態が確認されると自動的にＦＡＸ送信され、完了するとメッセージが受話器に返され、受話器を戻し、カードを抜いて終了する。電話の場合と同様に、通信中の場合、或いは送信が不調の場合はメッセージが出され、カードを抜いて待機状態に戻る。
以上のように電話機能とＦＡＸ機能の判別を、使用するカードの選択だけで行うことが出来る。後の操作である番号セットの操作、通信操作などの一連の操作は全く必要無く、操作に不慣れな利用者にとって非常にやさしいインタフェースとなる。
テレビ電話はパーソナルコンピュターに組み込んで動かすもの、通常のテレビジョンと連動する専用の付加器やセットトップスに組み込んで動かすものなど多様な形で実現されているが、電話との主な相違は回線がブロードバンドになり電話番号がＩＰ番号に変わることと、画像処理が加わることであり、基本的な接続手順は電話手段を応用することで可能である。【００１１】さらに、本体で他の機能が稼動している状態、例えばテレビジョン受像中にＴＶ電話を動かす場合、テレビ受像画面をバックグラウンドへ退避させ、更にＴＶ電話機能が終了したら元の状態に戻す手続きを、全体手順の中に挿入する方法も有効である。この手段もカードに待機状態の処理情報を入れておくことで可能である。このように、カードに他の制御情報を追加することによって、様々に応用を変えることが出来るのも本発明の大きな利点である。
「実施形態の効果」【００１２】  利用者は目的とする機能のカードを選択し、機器に差し込むだけである。操作手順の違いや、途中の条件設定の知識が全く無くても操作が出来る。機能の違いにかかわらず一元的な手段で操作可能である。また、操作手段を本体から分離したカードに格納するので、機能の増設や変更が容易で、利用者の能力に合わせたカスタマイズを安価に実現できる。必要不可欠の機能に限定してカードを用意すれば、高齢者に容易に利用できる機器になる。
「他の実施形態」【００１３】  カードの形態は、バーコード、磁気カード、ＩＣカードなど目的によって選択できる。高齢者向けには、必須機能に限定して堅牢にして扱いやすく、且つ目的機能をわかりやすくした表示を工夫することも有効であろう。
またカードリーダを本体に付帯することなく、本体との通信機能を加えたリモートコントローラにすることも可能である。複雑なボタン類をできるだけ省いてカード入力操作を主体とする独立した第二のリモートコントローラとすることにより機器操作の苦手な利用者にも十分安心できる操作手段になる。
【図面の簡単な説明】
【０００１４】
【図１】本発明の実施例１、多機能家庭情報システム
【図２】本発明の実施例１、操作手順の説明
【表１】
本発明の実施例１、カード作成の一例
【図１】
2005242955.tif 000003
【図２】
2005242955.tif 000004
2005242955.tif 000005
【手続補正書】
【提出日】平成16年5月14日(2004.5.14)
【手続補正１】
【補正対象書類名】明細書
【補正対象項目名】００１４
【補正方法】変更
【補正の内容】
【００１４】
【図１】本発明の実施例１、多機能家庭情報システム。
【図２】本発明の実施例１、操作手順の説明。
【手続補正２】
【補正対象書類名】図面
【補正対象項目名】全図
【補正方法】変更
【補正の内容】
【図１】
2005242955.tif 000006
【図２】
2005242955.tif 000007
【手続補正３】
【補正対象書類名】明細書
【補正対象項目名】０００９
【補正方法】変更
【補正の内容】
【０００９】
表１に一例を示すが、カードに格納する操作情報は対象とする利用者によって最適の変形が可能である。例えば、電話操作のカードでは、電話をかける操作を知っている利用者には電話機能の判別のカードで良く、電話番号を入力するのも不安な利用者には電話番号付のカードを与える。更に緊急の援助を求める電話メッセージを加えたカードを用意しておいたほうが良い利用者にはメッセージ付のカードを与える。
ＦＡＸ用カードも同様である。
テレビ電話では映像送信の有無を分けてカードを準備しておくのが便利である。受信時も映像を送りたくないときのカードを準備するのがよい。
その他の機能についても、利用者の操作能力、利用する機能のレベルによって使うカードのセットを選択することが出来るし、変更も容易である。
【表１】
電話カード
電話機能の判別のカード
機能判別＋電話番号のカード
機能判別＋電話番号＋音声メッセージのカード
ＦＡＸカード
ＦＡＸ機能の判別のカード
機能判別＋ＦＡＸ番号のカード
機能判別＋ＦＡＸ番号＋文書のカード
テレビ電話カード
テレビ電話送信機能の判別のカード
機能判別＋アドレス番号のカード
機能判別＋アドレス番号＋画像有／無のカード
機能判別＋アドレス番号＋メッセージのカード
受信受け付け  画像有／無のカード
テレビジョン
機能判別のカード
機能判別＋放送局のカード
インターネット
機能判別のカード
機能判別＋お気に入りメニューのカード
機能判別＋ＵＲＬのカード